(57)【要約】  【課題】  操作性に優れ、耳に掛けたままで容易に操作可能な耳掛け式通話装置を提供する。  【解決手段】  筐体の外面に配置され、中央部に開口を有する円盤状の第１の操作部と、前記開口に挿入される第２の操作部とを備え、前記第１の操作部で音量の調整、前記第２の操作部で電源オンオフ、通話、終話の操作を行う。これにより、第１、第２の操作部で、音量の調整、電源オンオフ、通話、終話の少なくとも４つの操作が可能であり、操作部を比較的大きくし、操作性のよい耳掛け式通話装置を提供することができる。【選択図】  図１
2005217695.tif 000002
【特許請求の範囲】
【請求項１】
筐体の外面に配置され、中央部に開口を有する円盤状の第１の操作部と、前記開口に挿入される第２の操作部とを備え、前記第１の操作部で音量の調整、前記第２の操作部で電源オンオフ、通話、終話の操作を行うように構成した耳掛け式通話装置。
【請求項２】
前記第１、第２の操作部は、着信時、通話時、待受時によってそれぞれ異なる機能を制御するように構成されていることを特徴とする請求項１記載の耳掛け式通話装置。
【請求項３】
前記第２の操作部は、短押し、長押しによってそれぞれ異なる機能を制御するように構成されていることを特徴とする請求項１記載の耳掛け式通話装置。
【請求項４】
前記第２の操作部は、着信時に操作したとき、短押し、長押しに関係なく、通話状態に切換制御し、通話時に操作したとき、短押しで何も制御せず、長押しで終話状態に切換制御し、待受け時に操作したとき、短押しで予め定めた機能を制御し、長押しで、電源オンオフを制御することを特徴とする請求項１記載の耳掛け式通話装置。
【請求項５】
前記第２の操作部は、着信時に操作したとき、短押しで通話状態、長押しで着信拒否にそれぞれ切換制御し、通話時に操作したとき、短押しで何も制御せず、長押しで終話状態に切換制御し、待受け時に操作したとき、短押し１回でボイスダイヤル、短押し２回連続操作でリダイヤル、長押しで電源オフにそれぞれ切換制御することを特徴とする請求項１記載の耳掛け式通話装置。
【請求項６】
前記第２の操作部は、着信時に操作したとき、短押しで通話状態、長押しで着信拒否にそれぞれ切換制御し、通話時に操作したとき、短押しで何も制御せず、長押しで終話状態に切換制御し、待受け時に操作したとき、短押しでボイスダイヤル、第１の長押しでリダイヤル、前記第１の長押しより長い第２の長押しで電源オフにそれぞれ切換制御することを特徴とする請求項１記載の耳掛け式通話装置。
【請求項７】
前記第２の操作部は、通話時に長押し操作し終話状態になったとき、待受け状態に移行するよう制御することを特徴とする請求項４〜６のいずれか１項記載の耳掛け式通話装置。
【請求項８】
前記第１の操作部は、直交する長さが互いに異なる楕円形に形成され、長手方向の一方を操作することにより音量が大きくなり、他方を操作することにより音量が小さくなるように動作することを特徴とする請求項１記載の耳掛け式通話装置。
【請求項９】
前記第１の操作部は、着信時に操作したときには着信音量を、通話時に操作したときには通話音量を、待受け時に操作したときには着信音量を、それぞれ制御することを特徴とする請求項１記載の耳掛け式通話装置。
【請求項１０】
前記第１の操作部を待受け時に操作したとき、擬似的に着信音を発生し、その着信音の音量を制御することを特徴とする請求項９記載の耳掛け式通話装置。
【発明の詳細な説明】
【技術分野】
【０００１】
本発明は、耳に掛けて耳に着脱自在に装着可能な耳掛け式通話装置に関する。
【背景技術】
【０００２】
従来、電話装置において、携帯型のものが多く知られている。携帯型の電話装置としては、筐体を折畳むことが可能な、所謂、折畳式の携帯電話機と、折畳むことができない、所謂、ストレート式の携帯電話機が知られている。いずれの携帯電話機も、ストレート状態にしたとき、その両端部に位置する部分に設けた、マイク、レシーバを用いて通話するものであり、通話するときには、マイクを口に、レシーバを耳にそれぞれ当てるようにして使用するものである。このような携帯電話機をポケットやかばんに入れていた場合、電話がある毎に、携帯電話機自体をポケットやかばんからいちいち取出して、所定の操作を行い、マイクを口に、レシーバを耳にそれぞれ当てるようにする必要があった。したがって、頻繁に電話がかかってくる使用者にとっては、非常に面倒なものであった。
【０００３】
一方、このような面倒動作さを解消するものとして、ブルートゥース（登録商標）などの近距離無線通信技術を利用し、携帯電話機とマイク付きイヤホーンとの間を近距離無線通信技術で互いに無線接続したものも知られるようになってきた。（例えば、非特許文献１参照）
【０００４】
このものによれば、携帯電話機自体はポケットやかばんに入れたまま、マイク付きイヤホーンを操作することにより、相手からの電話に出ることができ、いちいち携帯電話機をポケットやかばんから持ち出す必要がないというメリットを有する。
【非特許文献１】国際意匠登録ＤＭ／０６３９００号公報（第１頁、図１．１〜１．７）
【発明の開示】
【発明が解決しようとする課題】
【０００５】
しかしながら、非特許文献１に記載されたものは、マイク付きイヤホーンに耳掛け部材を取付け、この耳掛け部材を用いてマイク付きイヤホーンを耳に掛け、使用するように構成しただけのものであり、マイク付きイヤホーンの操作部がマイク付きイヤホーンの側面に小さく設けられているだけであるため、その操作が非常にしづらいという問題があった。
【０００６】
すなわち、非特許文献１では、余り明確でないが、非特許文献１に記載されたものは、既に市場に出回っており、このものによれば、操作部は、音量を大きくするための操作ボタンと、音量を小さくするための操作ボタンと、着信に応答するための操作ボタンと、終話するための操作ボタンと、電源をオンオフするための操作ボタンで構成され、これらがマイク付きイヤホーンの側面に小さく設けられているに過ぎないものである。したがって、この種のものでは、それぞれの操作時にどの操作ボタンを操作すれば良いか非常に分かり難く、マイク付きイヤホーンを耳につけた状態では、更にその操作が難しく、往々にして操作を誤る可能性が大きいと言う問題があった。
【０００７】
本発明は、このような従来の問題に鑑みてなされたものであり、操作性に優れ、耳に掛けたままで容易に操作可能な耳掛け式通話装置を提供するものである。
【課題を解決するための手段】
【０００８】
本発明の耳掛け式通話装置は、筐体の外面に配置され、中央部に開口を有する円盤状の第１の操作部と、前記開口に挿入される第２の操作部とを備え、前記第１の操作部で音量の調整、前記第２の操作部で電源オンオフ、通話、終話の操作を行う構成を有する。
【０００９】
この構成により、第１、第２の操作部で、音量の調整、電源オンオフ、通話、終話の少なくとも４つの操作が可能であり、操作部を大きくして操作を充分し易くすることができるという作用を有する。
【００１０】
また、本発明の耳掛け式通話装置は、第１、第２の操作部が、着信時、通話時、待受時によってそれぞれ異なる機能を制御する構成を有する。
【００１１】
この構成により、同じ、第１、第２の操作部を操作しても、着信時、通話時、待受時でそれぞれ異なる機能を制御することになり、操作部を少なくして、かつ、多くの操作を状況に応じて操作可能であると言う作用を有する。
【００１２】
また、本発明の耳掛け式通話装置は、第２の操作部が、短押し、長押しによってそれぞれ異なる機能を制御する構成を有する。
【００１３】
この構成により、第２の操作部で、異なる多くの機能を制御でき、操作性が更に向上するという作用を有する。
【００１４】
また、本発明の耳掛け式通話装置は、第２の操作部が、着信時に操作したとき、短押し、長押しに関係なく、通話状態に切換制御し、通話時に操作したとき、短押しで何も制御せず、長押しで終話状態に切換制御し、待受け時に操作したとき、短押しで予め定めた機能を制御し、長押しで、電源オンオフを制御する構成を有する。
【００１５】
この構成により、着信時には、短押し、長押しに関係なく、通話状態になり、その操作を誤ることがなく、また、通話時には、短押しでは誤って終話することなく、長押しのときのみ終話状態になるように制御され、更に、待受け時には、短押しのとき、予め定めた機能を制御し、長押しのときのみ、電源オンオフの制御を行うため、この状態でも、誤って電源をオンしたり、オフしたりすることがないという作用を有する。
【００１６】
また、本発明の耳掛け式通話装置は、第２の操作部を、着信時に操作したとき、短押しで通話状態、長押しで着信拒否にそれぞれ切換制御し、通話時に操作したとき、短押しで何も制御せず、長押しで終話状態に切換制御し、待受け時に操作したとき、短押し１回でボイスダイヤル、短押し２回連続操作でリダイヤル、長押しで電源オフにそれぞれ切換制御する構成を有する。
【００１７】
この構成により、第２の操作部を１回短押しした場合と、２回連続して短押した場合で、それぞれ異なる動作をさせることができ、操作部を増やすことなく、有効に多くの動作をさせることができるという作用を有する。
【００１８】
また、本発明の耳掛け式通話装置は、第２の操作部を、着信時に操作したとき、短押しで通話状態、長押しで着信拒否にそれぞれ切換制御し、通話時に操作したとき、短押しで何も制御せず、長押しで終話状態に切換制御し、待受け時に操作したとき、短押しでボイスダイヤル、第１の長押しでリダイヤル、第１の長押しより長い第２の長押しで電源オフにそれぞれ切換制御する構成を有する。
【００１９】
この構成により、第２の操作部を第１、第２の異なる長押しで、それぞれ異なる動作をさせることができ、操作部を増やすことなく、有効に多くの動作をさせることができるという作用を有する。
【００２０】
また、本発明の耳掛け式通話装置は、第２の操作部を、通話時に長押しして終話状態になった場合、終話処理後待受け状態に移行する構成を有する。
【００２１】
この構成により、通話時に長押ししても電源がオフされることはなく、一旦待受け状態になり、その後、長押ししない限り、電源がオフされないという作用を有する。
【００２２】
また、本発明の耳掛け式通話装置は、第１の操作部が、直交する長さが互いに異なる楕円形に形成され、長手方向の一方を操作することにより音量が大きくなり、他方を操作することにより音量が小さくなるように動作する構成を有する。
【００２３】
この構成により、第１の操作部を操作する場合、その形状を手で認識しながら容易に操作することができ、操作を誤ることがほとんどないという作用を有する。
【００２４】
また、本発明の耳掛け式通話装置は、第１の操作部が、着信時に操作したときには着信音量を、通話時に操作したときには通話音量を、待受け時に操作したときには着信音量を、それぞれ制御する構成を有する。
【００２５】
この構成により、着信時、通話時には、それぞれその時の音量を確認しながら操作部を操作することができ、使用者にあった音量に容易に調整することが可能という作用を有する。
【００２６】
また、本発明の耳掛け式通話装置は、第１の操作部を待受け時に操作したとき、擬似的に着信音を発生し、その着信音の音量を制御する構成を有する。
【００２７】
この構成により、待受け時でも、擬似的に着信音聞きながら、操作部を操作することができ、使用者にあった着信音量に容易に調整することが可能という作用を有する。
【発明の効果】
【００２８】
本発明によれば、操作性に優れ、耳に掛けたままで容易に操作可能な耳掛け式通話装置を提供することができる。
【発明を実施するための最良の形態】
【００２９】
以下、本発明の一実施の形態について説明する。
【００３０】
図１は、本発明の一実施の形態における耳掛け式通話装置の正面図、図２は、同耳掛け式通話装置の側面図、図３は、同耳掛け式通話装置の要部断面図である。
【００３１】
本発明の一実施の形態における耳掛け式通話装置１００は、図１、図２に示すように、正面から見たとき縦長の楕円形、側面から見たとき上方より下方に行くにしたがって巾広となる形状の筐体１を有しており、この筐体１の上端部に、円弧状に形成された耳掛け部２が一体に形成されている。そして、筐体１の正面には、中央部に開口３を有する楕円形の第１の操作部４と、この操作部４の開口３に挿入された第２の操作部５が装着されている。
【００３２】
第１の操作部４は、上下に長く形成され、上下をそれぞれ押圧操作することによって、図３に示すように、基板６に装着された第１、第２のスイッチ７、８をそれぞれ操作し、音量を大きくしたり、小さくしたりするように構成されている。また、第２の操作部５は、基板６に装着された第３のスイッチ９を操作するように構成されており、第２の操作部５を短押ししたり、長押ししたりすることにより、それぞれその状況に応じて予め定められた動作を制御するように構成されている。
【００３３】
なお、耳掛け部２は、図１、図２に示すように、筐体１の上端から筐体１の側方及び後方にそれぞれ円弧状に延びるように形成され、耳掛け部２を耳に掛けることによって、耳が耳掛け部２と筐体１の間に入り、筐体１内部に設けたレシーバ１０が耳の孔にほぼ正確に対向して装着されるように構成されている。そして、筐体１の下端部には、マイク１１が装着されている。
【００３４】
図４は、本実施の形態における耳掛け式通話装置１００の使用状況を示す概略構成図である。本実施の形態における耳掛け式通話装置１００は、図４に示すように、携帯電話機２００とブルートゥース（登録商標）などの近距離無線通信を用いて互いに無線接続可能なように構成されている。すなわち、携帯電話機２００に着信があったとき、それが携帯電話機２００より近距離無線通信で本実施の形態の耳掛け式通話装置１００に伝送され、本実施の形態の耳掛け式通話装置１００において、その着信に応答することにより、本実施の形態の耳掛け式通話装置１００を用いて相手と通話可能なように構成されている。
【００３５】
以下、このことについて、更に、詳細に説明する。
【００３６】
図５は、本実施の形態における耳掛け式通話装置１００を使用する際に使用する携帯電話機２００の一実施例の電気的構成を示す概略ブロック図である。
【００３７】
この携帯電話機２００は、図５に示すように、電話相手との間で無線送受信を行う無線送受信部２１と、送受信するための音声信号を入出力する音声信号入出力部２２と、音声信号入出力部２２に接続されたマイク２３、レシーバ２４と、着信があったとき着信信号を出力する着信信号出力部２５と、着信信号出力部２５に接続されたスピーカ２６、振動子２７、発光ダイオード２８と、本実施の形態における耳掛け式通話装置との間で近距離無線通信を行う近距離無線送受信部２９と、操作部３０と、表示部３１と、これらを制御する制御部３２とを備えている。
【００３８】
そして、この携帯電話機２００は、操作部３０を用いて相手の電話番号を入力すれば、それが表示部３１に表示され、その状態で発信操作を行うと、無線送受信部２１を介して表示部３１に表示された相手の電話番号が電話局（又は、電話会社）に送信され、相手が呼出される。相手が応答すると、その情報が無線送受信部２１で受信され、制御部３２の制御の基で、マイク２３、レシーバ２４を用いて相手と通話可能な状態になる。
【００３９】
また、この携帯電話機２００は、相手から呼出があったとき、それを無線送受信部２１で受信し、着信信号出力部２５より所定の着信信号を出力し、スピーカ２６、振動子２７、発光ダイオード２８などで相手から呼出があったことを報知する。報知を知って、操作部３０でその着信に応答するための操作を行うと、それが制御部３２で検知され、無線送受信部２１を介して電話局（又は、電話会社）に送信され、マイク２３、レシーバ２４を用いて相手と通話可能な状態になる。
【００４０】
そして、更に、操作部３０を用いて、予め定めた所定の操作（設定操作）をしておくと、発信及び着信の際にそれぞれ近距離無線送受信部２９を介して本実施の形態における耳掛け式通話装置１００との近距離無線通信を行う。
【００４１】
図６は、本実施の形態における耳掛け式通話装置１００の電気的な概略構成を示すブロック図である。
【００４２】
本実施の形態における耳掛け式通話装置１００は、図６に示すように、第１、第２の操作部４、５や、マイク１１、レシーバ１０のほかに、携帯電話機２００との間で近距離無線通信を行う近距離無線送受信部１２と、マイク１１、レシーバ１０に接続された音声信号入出力部１３と、第１、第２の操作部４、５をどのように操作すれば何がどのように動作するかを予め登録しておく動作状況登録記憶部１４と、これらを制御する制御部１５とを備えている。
【００４３】
次に、本実施の形態における耳掛け式通話装置１００の動作について、説明する。
【００４４】
本実施の形態における耳掛け式通話装置１００を動作させるためには、先ず、本実施の形態における耳掛け式通話装置１００の電源をオンする必要がある。電源のオンオフは、待受け状態において、第２の操作部５を予め定めた一定時間以上押圧操作する（すなわち、長押しする）ことによって行われる。第２の操作部５を長押しすると、それが制御部１５で検知され電源がオンする。したがって、この状態で、本実施の形態における耳掛け式通話装置１００が動作可能になる。
【００４５】
次に、携帯電話機２００において、発信及び着信の際に、それぞれ近距離無線送受信部２９を通して本実施の形態における耳掛け式通話装置１００と近距離無線通信を行うように設定する。このように設定すると、発信時、着信時にそれぞれ近距離無線送受信部２９を介して本実施の形態における耳掛け式通話装置１００に発信、着信の状況が通知され、本実施の形態における耳掛け式通話装置１００が、以下の通り動作する。
【００４６】
携帯電話機２００を用いて相手に電話した場合には、相手を呼出している間、電話局（又は、電話会社）からリングバックトーンが無線送受信部２１を介して受信される。そして、リングバックトーンは、制御部３２の制御の基で近距離無線送受信部２９を介して本実施の形態における耳掛け式通話装置１００に送信される。送信されたリングバックトーンは、本実施の形態における耳掛け式通話装置１００の近距離無線送受信部１２で受信され、制御部１５の制御の基で、レシーバ１０より出力される。相手がビジーで電話局（又は、電話会社）からビジートーンが送信された場合も、同様にレシーバ１０よりビジートーンが出力される。
【００４７】
相手が応答した場合には、その情報を基に通話回路が形成され、携帯電話機２００の無線送受信部２１、近距離無線送受信部２９、本実施の形態における耳掛け式通話装置１００の近距離無線送受信部１２、音声信号出力部１３を介して、相手とマイク１１、レシーバ１０を用いて通話することができる。
【００４８】
相手から呼出があった場合には、着信信号が、携帯電話機２００の無線送受信部２１で受信され、近距離無線送受信部２９を介して、本実施の形態における耳掛け式通話装置１００に送信される。送信された着信信号は、本実施の形態における耳掛け式通話装置１００の近距離無線送受信部１２で受信され、制御部１５の制御の基で、適当な着信信号に変換され音声信号出力部１３に出力される。そして、それがレシーバ１０に供給され、着信があったことが使用者に報知される。
【００４９】
相手からの着信を認識し、第２の操作部５を操作すると、制御部１５がそれを検知し、動作状況登録記憶部１４に記憶された情報に基づいて、その着信に応答した旨の情報を近距離無線送受信部１２に供給し、それを近距離無線送受信部１２を介して携帯電話機２００に送信する。携帯電話機２００は、その情報を近距離無線送受信部２９で受信し、無線送受信部２１を介して電話局（又は、電話会社）に送信する。電話局（又は、電話会社）が、送信された情報を受信すると、このことで、相手との通話回路が形成され、携帯電話機２００の無線送受信部２１、近距離無線送受信部２９、本実施の形態における耳掛け式通話装置１００の近距離無線送受信部１２、音声信号出力部１３を介して、相手とマイク１１、レシーバ１０を用いて通話することができるようになる。
【００５０】
このように、本実施の形態における耳掛け式通話装置１００は、携帯電話機２００を介して相手に発信し通話したり、相手からの着信に応答して通話したりすることができる。
【００５１】
ところで、本実施の形態では、先に説明したように、動作状況登録記憶部１４に、第１、第２の操作部４、５をどのように操作すれば何がどのように動作するかを予め登録しており、待受け時、着信時、通話時などの状況に応じて、それぞれ次のように動作する。
【００５２】
すなわち、図７は、第１、第２の操作部４、５をどのように操作すれば何がどのように動作するかを予め動作状況登録記憶部１４に記憶したテーブルの１例である。
【００５３】
図７に示すように、本実施の形態における耳掛け式通話装置１００では、第１の操作部４は、上部を押圧操作することにより、レシーバ１０から出力される音量が徐々に大きくなり、下部を押圧操作することにより、レシーバ１０から出力される音量が徐々に小さくなるように設定されている。そして、通話時には通話音量、待受け時には着信音量、着信時には着信音量がそれぞれ制御されるように設定されている。
【００５４】
また、第２の操作部５は、制御部１５の制御の基で、第２の操作部５が短押しされたか、長押しされたかをそれぞれ区別して判断できるように構成され、短押し、長押しに応じてそれぞれの動作を制御するように設定されている。すなわち、通話時は、短押ししても何も反応せず、長押ししたときのみ、終話状態になるように設定され、待受け時は、短押しすればボイスダイヤルやリダイヤルといった別の機能（これらの機能を設けた場合）を制御し、長押ししたときには電源をオフするように設定されている。また、着信時は、短押し、長押しいずれの場合も、通話状態になるように設定され、電源オフ時は、長押ししたときのみ電源オンするように設定されている。
【００５５】
このように、本実施の形態では、第１、第２の操作部４、５を同心円状に配置し、第１の操作部４を縦長に形成し、上下を操作するようにしており、その操作が容易であり、また、第２の操作部５は、第１の操作部４の中央部に位置し、見えない耳の位置でも、容易にそれを認識することができ、第１、第２の操作部４、５を誤っててれこに操作すると言うことはほとんどないという作用を有する。そして、本実施の形態によれば、第１の操作部４で音量、第２の操作部５で電源オンオフ、通話、終話などを制御するようにしており、誤って第２の操作部５を操作すべきところ第１の操作部を操作しても、それを容易に認識し、修正できるという作用を有する。
【００５６】
また、本実施の形態では、第２の操作部５に関し、短押し、長押しをそれぞれ制御部１５が認識できるようにしており、しかもその上で、通信時、待受け時、着信時、電源オフ時などに応じて、それぞれ決められた動作しか行わないように制限を加えており、したがって、それぞれの状況でそれぞれの操作を間違いなく正確に行うことができるという作用を有する。
【００５７】
なお、本実施の形態では、近距離無線通信を用いて携帯電話機２００経由で相手と通話可能なように構成しているが、携帯電話機２００に必要な機能をすべて耳掛け式通話装置１００の筐体１内に内蔵し、別に携帯電話機２００を用いないで耳掛け式通話装置１００で直接相手と通話できるようにすることも可能である。特に、着信専用のものとした場合には、各種機能キー、テンキーなどを必要とせず、全体として非常に小形で、使い勝手の良いものにすることができる。
【００５８】
そして、発信機能を付加する場合でも、筐体１の大きさなどを考慮し、各種機能キー、テンキーに代えて、音声認識装置などを組み込み、音声によって各種指示、情報を入力するように構成することも可能である。このようにすれば、発信に際して、耳から取り外すことなく、装着したまま、容易に発信したり、着信に応答したりすることができる。
【００５９】
また、本実施の形態では、第１、第２の操作部４、５をどのように操作すれば何がどのように動作するかを、図７に示すように、動作状況登録記憶部１４に記憶し、それについて具体的に説明したが、動作状況登録記憶部１４に記憶するテーブルは、図７に限らず、図８、図９に示すようなテーブルであっても良い。
【００６０】
すなわち、図８は、第２の操作部５を短押しする場合でも、１回短押しするか、２回連続して短押しするかで、それぞれ異なる動作を行うように構成したものである。具体的には、着信時に操作した場合、短押しで通話状態、長押しで着信拒否にそれぞれ切換制御され、通話時に操作した場合には、短押しで何も制御せず、長押しで終話状態に切換制御される。そして、待受け時に操作した場合には、１回短押ししただけではボイスダイヤル、２回短押しを連続操作した場合にはリダイヤルに、それぞれ切換制御され、長押しした場合には電源オフに切換制御されるようにしている。したがって、この場合には、短押し１回と、短押し２回でそれぞれ異なる制御を行うことができると共に、着信時に長押しした場合には、着信を拒否することができ、会議中やその他、電話に出られない場合でも、有利に活用することが可能である。
【００６１】
また、図９は、第２の操作部５を長押しする場合、第１の長押しと、第１の長押しよりも更に長い第２の長押しとで、それぞれ異なる動作を行うように構成したものである。この場合には、第２の操作部５を着信時に操作したときには、短押しで通話状態、長押しで着信拒否にそれぞれ切換制御し、通話時に操作したときには、短押しで何も制御せず、長押しで終話状態に切換制御し、待受け時に操作したときには、短押しでボイスダイヤル、第１の長押しでリダイヤル、第１の長押しよりもさらに長い第２の長押しで電源オフにそれぞれ切換制御するようにしている。このように構成した場合には、第１、第２の長押しでそれぞれ異なる動作を行わせることができ、操作部を増やすことなく多くの制御を可能にすることができる。
【００６２】
なお、図７〜図９に示されたいずれの例にあっても、第１の操作部４を待受け時に操作したとき、擬似的に着信音を発生し、その着信音の音量を制御できる構成としてもよい。  これにより、待受け時でも、擬似的に着信音聞きながら、操作部を操作することができ、使用者にあった着信音量に容易に調整することが可能となる。
【００６３】
なお、上記実施の形態において、終話状態とは終話処理を行う状態を言い、終話状態になった後は、自動的に待受け状態に移行することを意味している。したがって、上記実施の形態では、通話時や着信時にいくら長押ししても誤って電源をオフすることがないと言う利点を有する。
【産業上の利用可能性】
【００６４】
本発明は、操作性に優れ、耳に掛けたままで容易に操作可能な耳掛け式通話装置に有用である。
【図面の簡単な説明】
【００６５】
【図１】本発明の一実施の形態における耳掛け式通話装置の正面図
【図２】本発明の一実施の形態における耳掛け式通話装置の側面図
【図３】本発明の一実施の形態における耳掛け式通話装置の要部断面図
【図４】本発明の一実施の形態における耳掛け式通話装置の使用状況を示す概略構成図
【図５】本発明の一実施の形態における耳掛け式通話装置を使用する際に使用する携帯電話機の一実施例の電気的構成を示す概略ブロック図
【図６】本発明の一実施の形態における耳掛け式通話装置の電気的構成を示す概略ブロック図
【図７】本発明の一実施の形態における耳掛け式通話装置において、動作状況登録記憶部に記憶されたテーブルの一例を示す図
【図８】本発明の一実施の形態における耳掛け式通話装置において、動作状況登録記憶部に記憶されたテーブルの他の例を示す図
【図９】本発明の一実施の形態における耳掛け式通話装置において、動作状況登録記憶部に記憶されたテーブルの更に他の例を示す図
【符号の説明】
【００６６】
１００    耳掛け式通話装置
１    筐体
２    耳掛け部
３    開口
４    第１の操作部
５    第２の操作部
６    基板
７、８、９    第１、第２、第３のスイッチ
１０    レシーバ
１１    マイク
１２    近距離無線送受信部
１３    音声信号入出力部
１４    動作状況登録記憶部
１５    制御部
２００    携帯電話機
２１    無線送受信部
２２    音声信号入出力部
２３    マイク
２４    レシーバ
２５    着信信号出力部
２６    スピーカ
２７    振動子
２８    発光ダイオード
２９    近距離無線送受信部
３０    操作部
３１    表示部
３２    制御部
【図１】
2005217695.tif 000003
【図２】
2005217695.tif 000004
【図３】
2005217695.tif 000005
【図４】
2005217695.tif 000006
【図５】
2005217695.tif 000007
【図６】
2005217695.tif 000008
【図７】
2005217695.tif 000009
【図８】
2005217695.tif 000010
【図９】
2005217695.tif 000011